(57)【要約】【課題】例えば目薬などの内容液の滴下量を変更することができる滴下容器を提供する。【解決手段】注出筒33の外周面に内周面を当接させた外筒43を有すると共に、容器本体20の口部21に注出筒33の軸線O方向に沿って進退可能に装着された可動部材40を設け、可動部材40を、該可動部材40の後退にて、注出筒33の先端面33aを外筒43の先端面43aから突出させて、注出筒33の先端面33aからの内容液の滴下を可能とする一方、該可動部材40の前進にて、外筒43の先端面43aを注出筒33の先端面33aから突出させて、外筒43の先端面43aからの内容液の滴下を可能とするように構成する。【選択図】図２
2015127209.tif 000002
【特許請求の範囲】
【請求項１】
口部、胴部及び底部を有するボトル状を成すと共に内容液を収納した容器本体と、該容器本体の口部に固定され、該口部から起立する注出筒を有する中栓とを備え、前記容器本体を倒立させ、前記注出筒を通じて注出させた内容液を該注出筒の先端面から滴下させる滴下容器において、
前記注出筒の外周面に内周面を当接させた外筒を有すると共に、前記容器本体の口部に前記注出筒の軸線方向に沿って進退可能に装着された可動部材を備え、
前記可動部材は、該可動部材の後退にて、前記注出筒の先端面を前記外筒の先端面から突出させて、前記注出筒の先端面からの内容液の滴下を可能とする一方、該可動部材の前進にて、前記外筒の先端面を前記注出筒の先端面から突出させて、前記外筒の先端面からの内容液の滴下を可能とすることを特徴とする滴下容器。
【請求項２】
前記容器本体に着脱可能に設けられ、該容器本体への装着状態にて、前記容器本体の口部、前記中栓及び前記可動部材を被覆するオーバーキャップを備え、
前記オーバーキャップは、前記注出筒の内周面に気密に嵌合する注出筒封止面と、前記可動部材の前進時に、前記外筒の内周面に気密に嵌合する外筒封止面とが形成された封止体を有する、請求項１に記載の滴下容器。
【発明の詳細な説明】
【技術分野】
【０００１】
本発明は、ボトル状を成す容器本体を倒立させ、該容器本体の口部に固定された中栓の注出筒を通じて注出させた内容液を、該注出筒の先端面から滴下させる滴下容器に関し、特に、内容液の滴下量の変更を可能ならしめようとするものである。
【背景技術】
【０００２】
従来、例えば目薬などを内容液とする滴下容器として、例えば特許文献１には、口部、胴部及び底部を有するボトル状を成すと共に内容液を収納した容器本体と、該容器本体の口部に固定され、該口部から起立する注出筒を有する中栓とを備え、容器本体を倒立させ、注出筒を通じて注出させた内容液を該注出筒の先端面から滴下させる滴下容器が示されている。
【先行技術文献】
【特許文献】
【０００３】
【特許文献１】特開２００６−２４０６２４号公報
【発明の概要】
【発明が解決しようとする課題】
【０００４】
ところで、このような滴下容器を、例えば目薬用容器として用いる場合には、使用者によって必要とされる点眼量に違いがあることから、滴下させる内容液の滴状一粒当りの大きさ（滴下量）を適度に変更できれば都合が良い。
【０００５】
本発明は、前記の現状に鑑み開発されたもので、例えば目薬などの内容液の滴下量を変更することができる滴下容器を提供することを目的とする。
【課題を解決するための手段】
【０００６】
すなわち、本発明の要旨構成は以下のとおりである。
１．口部、胴部及び底部を有するボトル状を成すと共に内容液を収納した容器本体と、該容器本体の口部に固定され、該口部から起立する注出筒を有する中栓とを備え、前記容器本体を倒立させ、前記注出筒を通じて注出させた内容液を該注出筒の先端面から滴下させる滴下容器において、
前記注出筒の外周面に内周面を当接させた外筒を有すると共に、前記容器本体の口部に前記注出筒の軸線方向に沿って進退可能に装着された可動部材を備え、
前記可動部材は、該可動部材の後退にて、前記注出筒の先端面を前記外筒の先端面から突出させて、前記注出筒の先端面からの内容液の滴下を可能とする一方、該可動部材の前進にて、前記外筒の先端面を前記注出筒の先端面から突出させて、前記外筒の先端面からの内容液の滴下を可能とすることを特徴とする滴下容器。
【０００７】
２．前記容器本体に着脱可能に設けられ、該容器本体への装着状態にて、前記容器本体の口部、前記中栓及び前記可動部材を被覆するオーバーキャップを備え、
前記オーバーキャップは、前記注出筒の内周面に気密に嵌合する注出筒封止面と、前記可動部材の前進時に、前記外筒の内周面に気密に嵌合する外筒封止面とが形成された封止体を有する、前記１の滴下容器。
【発明の効果】
【０００８】
本発明によれば、注出筒の外周面に内周面を当接させた外筒を、可動部材の後退に伴って後退させることで、注出筒の先端面を外筒の先端面から突出させて、注出筒の先端面からの内容液の滴下を可能とする一方、可動部材を前進に伴って外筒を前進させることで、外筒の先端面を注出筒の先端面から突出させて、外筒の先端面からの内容液の滴下を可能とすることができる。
【０００９】
したがって、本発明によれば、例えば目薬などの内容液の滴下量を変更することができる滴下容器を提供することができる。
【図面の簡単な説明】
【００１０】
【図１】本発明の一実施形態に係る滴下容器を可動部材の後退状態で示す図であり、（ａ）は不使用時の一部断面側面図、（ｂ）は内容液の滴状形成時の一部断面側面図である。
【図２】図１の滴下容器を可動部材の前進状態で示す図であり、（ａ）は不使用時の一部断面側面図、（ｂ）は内容液の滴状形成時の一部断面側面図である。
【発明を実施するための形態】
【００１１】
以下、図１〜図２を参照して、本発明の一実施形態に係る滴下容器について詳細に例示説明する。
図１（ａ）に示すように、本実施形態に係る滴下容器１は、容器本体２０と、中栓３０と、可動部材４０と、オーバーキャップ５０とを備える。容器本体２０は、例えばＰＥＴやポリエチレンなどからなり、口部２１、胴部２２及び底部２３を有するボトル状を成すと共に、例えば目薬などの内容液を収納している。胴部２２には、押圧変形の容易な押圧部２２ａが形成されている。
【００１２】
容器本体２０の口部２１の下端部には、下方に向って拡径する段部２１ａが形成されている。段部２１ａの外周面には、オーバーキャップ５０に係止する係止突起２１ｂが周設されている。口部２１の段部２１ａより上方における外周面には、可動部材４０の抜け止め用の鍔部２１ｃが形成されている。口部２１の鍔部２１ｃより上方における外周面には、雄ねじ部２４が形成されている。
【００１３】
中栓３０は、容器本体２０の口部２１の内周面に嵌合により固定される固定筒３１と、固定筒３１の上端から径方向外側に突出すると共に口部２１上端面に当接するフランジ３２と、フランジ３２の上面において口部２１から起立する注出筒３３とを有する。注出筒３３の内周面と固定筒３１の内周面とは互いにつながり、容器本体２０の内容液の収納空間と連通する流路Ｒを形成している。なお、固定筒３１の内周面下端部には、内容液の流通を制限する絞り部Ｔが形成されている。
【００１４】
可動部材４０は、内周面に雌ねじ部４１が形成された装着筒４２を有する。装着筒４２の下端縁には、可動部材４０を回転させて、雄ねじ部２４及び雌ねじ部４１の作用により、図２（ａ）に示すように、可動部材４０を注出筒３３の軸線Ｏ方向に沿って上方へ移動（すなわち、前進）させた際に、口部２１の鍔部２１ｃに係合して可動部材４０を抜け止め保持する係止突起４２ａが周設されている。装着筒４２の上端には、内向きフランジを介して、注出筒３３の外周面に内周面を当接させた外筒４３が立設されている。
【００１５】
可動部材４０は、該可動部材４０の後退にて、図１（ａ）に示したように、注出筒３３の先端面３３ａを外筒４３の先端面４３ａから突出させる一方、該可動部材４０の前進にて、図２（ａ）に示したように、外筒４３の先端面４３ａを注出筒３３の先端面３３ａから突出させるように構成されている。
【００１６】
オーバーキャップ５０は、容器本体２０に着脱可能に設けられ、容器本体２０への装着状態にて、容器本体２０の口部２１、中栓３０及び可動部材４０を被覆するように構成されている。具体的には、オーバーキャップ５０は、筒壁５１と、筒壁５１の上端を覆う頂壁５２とを有する。筒壁５１の下端縁には、容器本体２０の段部２１ａに形成された係止突起２１ｂに係止可能な係止突起５１ａが周設されている。頂壁５２の下面には、注出筒３３の内周面に気密に嵌合する注出筒封止面５３ａと、可動部材４０の前進時に、外筒４３の内周面に気密に嵌合する外筒封止面５３ｂとを有する封止体５３が垂設されている。
【００１７】
かかる構成によれば、図１（ａ）に示したように、可動部材４０の後退状態にて、オーバーキャップ５０を装着させた不使用時においては、オーバーキャップ５０で容器本体２０の口部２１、中栓３０及び可動部材４０を被覆すると共に、オーバーキャップ５０の封止体５３の注出筒封止面５３ａを注出筒３３の内周面に気密に嵌合させることにより、空気中の塵や雑菌などが注出筒３３を通じて容器本体２０内に侵入したり、注出筒３３の内周面に付着することを有効に防止することができる。
【００１８】
また、図１（ｂ）に示すように、可動部材４０の後退状態にて、オーバーキャップ５０（前掲図１（ａ）参照）を取り外し、容器本体２０を倒立させ、胴部２２の押圧部２２ａを押圧することにより、注出筒３３を通じて内容液を注出させ、注出筒３３の先端面３３ａに滴状ｄを形成し、該滴状ｄを注出筒３３の先端面３３ａから滴下させることができる。
【００１９】
さらに、図２（ａ）に示したように、可動部材４０の前進状態にて、オーバーキャップ５０を装着させた不使用時においては、オーバーキャップ５０で容器本体２０の口部２１、中栓３０及び可動部材４０を被覆すると共に、オーバーキャップ５０の封止体５３の注出筒封止面５３ａを注出筒３３の内周面に気密に嵌合させ、外筒封止面５３ｂを外筒４３の内周面に気密に嵌合させることにより、空気中の塵や雑菌などが注出筒３３を通じて容器本体２０内に侵入したり、注出筒３３や外筒４３の内周面に付着することを有効に防止することができる。
【００２０】
また、図２（ｂ）に示すように、可動部材４０の前進状態にて、オーバーキャップ５０（前掲図２（ａ）参照）を取り外し、容器本体２０を倒立させ、胴部２２の押圧部２２ａを押圧することにより、注出筒３３及び外筒４３を通じて内容液を注出させ、外筒４３の先端面４３ａに、より大粒の滴状ｄを形成し、該滴状ｄを外筒４３の先端面４３ａから滴下させることができる。
【００２１】
以上のように、本実施形態によれば、可動部材４０の進退状態に応じて、例えば目薬などの内容液の滴下量を変更することができる。
【００２２】
上述したところは、本発明の一実施形態を示したにすぎず、特許請求の範囲において、種々の変更を加えることができる。例えば、容器本体２０の胴部２２には押圧変形の容易な押圧部２２ａが形成されるものとして説明したが、押圧部２２ａをより押圧変形し易くするために、押圧部２２ａをドーム状に形成したり、押圧部２２ａをゴム等の軟材質で形成したりすることもできる。また、押圧部２２ａに代えて、例えば、外気を容器本体内に圧送して容器本体内の内容液を注出筒を通じて吐出させるポンプ機構を設けることもできる。さらに、容器本体２０として、例えば、内層体と外層体とを積層させて構成され、内層体のみを減容変形させて内容液を注出させる積層容器（デラミ容器とも言う）を用いてもよい。
【符号の説明】
【００２３】
１  滴下容器
２０  容器本体
２１  口部
２１ａ  段部
２１ｂ  係止突起
２１ｃ  鍔部
２２  胴部
２２ａ  押圧部
２３  底部
２４  雄ねじ部
３０  中栓
３１  固定筒
３２  フランジ
３３  注出筒
３３ａ  注出筒の先端面
４０  可動部材
４１  雌ねじ部
４２  装着筒
４２ａ  係止突起
４３  外筒
４３ａ  外筒の先端面
５０  オーバーキャップ
５１  筒壁
５１ａ  係止突起
５２  頂壁
５３  封止体
５３ａ  注出筒封止面
５３ｂ  外筒封止面
Ｒ  流路
Ｔ  絞り部
Ｏ  軸線
ｄ  滴状
【図１】
2015127209.tif 000003
【図２】
2015127209.tif 000004